(57)【要約】【課題】ＯＳＤ信号を重畳するブロックの後段に画質調整を行うブロックが挿入された構成において、ＯＳＤの部分はもともとの色・画質を維持し、それ以外の部分の画質調整が可能なパネル型テレビジョンおよび液晶テレビジョンの提供を目的とする。【解決手段】入力される映像信号に所定の画質調整処理を施す画質調整回路３０ａと、入力される映像信号を画質調整回路３０ａにおける画質調整に要する時間の分だけ遅らせて出力する遅延回路３０ｂと、マイコン６０の制御に従い映像信号を画質調整回路３０ａと遅延回路３０ｂとに切り替えて入力させるスイッチ３０ｃとを備えさせ、マイコン６０は、ＯＳＤ表示領域の映像信号を遅延回路３０ｂに入力させ、ＯＳＤ表示領域以外の映像信号は画質調整回路３０ａに入力させる。【選択図】図２
2007228167.tif 000002
【特許請求の範囲】
【請求項１】
画面に映像を表示する液晶モジュールと
音声を出力するスピーカと、
アンテナで受信されるテレビジョン放送信号から選択されているチャンネルのテレビジョン放送信号を抽出して出力するチューナと、
入力されたテレビジョン放送信号を映像信号と音声信号とに分離するとともに、同映像信号からＲ、Ｇ、Ｂの３原色信号を復調して出力するデコ−ダと、入力される映像信号を、上記液晶モジュールが有する画面の画素数に合致するようにスケーリング処理を行い、上記液晶モジュールに表示する１画面分の画像データを生成するスケ−ラと、ＯＳＤ信号を生成する為のデ−タを供給され、静止画像を生成して映像信号に重畳するＯＳＤ処理部と、を備えるスケーラＬＳＩと、
入力される音声信号を上記スピーカに出力させる音声信号処理部と、
上記スケーラＬＳＩから入力された映像信号に対し、所定の画質調整処理を施して上記液晶モジュールに出力する画質調整回路と、
上記チューナと上記スケーラＬＳＩと上記液晶モジュールとを制御するとともに、上記ＯＳＤ処理部にＯＳＤ信号を生成する為のデータを供給するマイコンと
を備える液晶テレビジョンにおいて、
上記スケーラＬＳＩから出力された映像信号を、上記画質調整回路における画質調整に要する時間の分だけ、遅らせて出力する遅延回路と、
上記マイコンの制御に従って上記画質調整回路と上記遅延回路とに接続を切り替え、いずれか一方より映像信号を出力させるスイッチと
を備え、
上記ＯＳＤ処理部は、
上記マイコンから矩形のＯＳＤを生成する為のデータを供給され、矩形のＯＳＤを上記画面に表示させるＯＳＤ信号を生成し、同ＯＳＤ信号を上記映像信号に重畳して出力し、
上記マイコンは、
上記ＯＳＤ処理部を制御してＯＳＤを表示させると、上記ＯＳＤ信号を生成する為のデータより、ＯＳＤの表示された領域情報を生成し、
上記スケーラＬＳＩから出力される映像信号のうち、ＯＳＤの表示された領域の映像信号は、上記スイッチを制御して上記遅延回路に接続させることにより、画質調整の施されていない映像信号を上記遅延回路から出力させ、
上記スケーラＬＳＩから出力される映像信号のうち、ＯＳＤの表示されない領域の映像信号は、上記スイッチを制御して上記画質調整回路に接続させることにより、画質調整の施された映像信号を上記画質調整回路から出力させ、
画質調整の施されないＯＳＤの映像と、ＯＳＤ以外の部分に画質調整の施された映像とを上記液晶モジュールの画面に表示させる
ことを特徴とする液晶テレビジョン。
【請求項２】
入力された映像信号に対して所定の映像信号処理を施して出力する映像信号出力手段と、
上記映像信号出力手段から出力された映像信号に対して所定の画質調整処理を行う画質調整手段と、
上記画質調整手段から出力された映像信号に基づく映像が表示されるパネル型ディスプレイとを備えるパネル型映像表示装置において、
上記映像信号出力手段から出力された映像信号が入力され、同映像信号に画質調整は施さず、上記画質調整手段が画質調整に要する時間の分だけ上記映像信号を遅らせて出力する遅延出力手段と、
上記映像信号出力手段より出力される映像信号のうち、上記パネル型ディスプレイ上の所定の矩形領域より内側に表示される映像信号と外側に表示される映像信号とを識別して識別信号を出力可能な矩形識別手段と、
上記矩形識別手段より出力される識別信号に従い、上記映像信号出力手段より出力される映像信号を上記画質調整手段と上記遅延出力手段とに切り替えて入力させる切替手段と
を備えることを特徴とするパネル型映像表示装置。
【請求項３】
上記映像信号出力手段は、
矩形枠にて囲われて表示されるオンスクリーンディスプレイ信号を生成し、上記映像信号に重畳して出力可能であり、
上記矩形識別手段は、
上記オンスクリーンディスプレイ信号の矩形枠の内部を上記矩形領域として識別する
ことを特徴とする上記請求項２に記載のパネル型映像表示装置。
【請求項４】
上記矩形識別手段は、
複数の矩形領域を識別することが可能である
ことを特徴とする上記請求項２または上記請求項３に記載のパネル型映像表示装置。
【請求項５】
上記矩形識別手段は、
上記複数の矩形領域を識別する際、各矩形領域の論理和を矩形領域とする
ことを特徴とする上記請求項２〜請求項４のいずれかに記載のパネル型映像表示装置。
【請求項６】
上記矩形領域は、
映像信号の表示される領域の両サイドの無画領域である
ことを特徴とする上記請求項２〜請求項５のいずれかに記載のパネル型映像表示装置。
【請求項７】
上記矩形領域は、
映像信号の表示される領域の上下の無画領域である
ことを特徴とする上記請求項２〜請求項５のいずれかに記載のパネル型映像表示装置。
【請求項８】
上記パネル型ディスプレイは、
画面に映像を表示する液晶モジュールであることを特徴とする上記請求項２〜請求項７のいずれかに記載のパネル型映像表示装置。
【請求項９】
上記パネル型ディスプレイは、
画面に映像を表示するプラズマディスプレイパネルモジュールであることを特徴とする上記請求項２〜請求項７のいずれかに記載のパネル型映像表示装置。
【発明の詳細な説明】
【技術分野】
【０００１】
本発明は、パネル型映像表示装置および液晶テレビジョンに関する。
【背景技術】
【０００２】
パネル型映像表示装置、液晶テレビジョンおよびプラズマテレビジョンなどのテレビジョンに入力された映像信号は、画質調整回路にてコントラスト、ホワイトバランス、明るさ、などの画質調整が行われてから画面に表示される。また、テレビジョンの画面には通常の映像信号だけでなく、画質調整や音質調整などの調整を行うメニュー画面や、アスペクト比４：３の映像をアスペクト比１６：９の画面に表示するときの両サイドの黒いマスク部分や、アスペクト比４：３の画面にアスペクト比１６：９の映像を表示するときの上下の黒いマスク部分などのＯＳＤ信号が重畳されて表示される。
【０００３】
特許文献１には、画質調整が行われるときにオンスクリーン表示が画質調整の影響を受けないように、オンスクリーン表示制御回路により、画質調整を補償するようにオンスクリーン表示信号を調整するテレビジョン受像機について開示されている。
【０００４】
また、特許文献２には、サイドパネル１６：９映像信号の存在を検出し、サイドパネル１６：９映像信号の輝度レベルを検出するとともに映像信号の輝度レベルを求め、サイドパネル検出結果と、映像輝度レベル検出結果に応じた画質補正を施す映像表示装置について開示されている。
【特許文献１】特開平１０−０７９８９９
【特許文献２】特開２００５−０２６８１４
【発明の開示】
【発明が解決しようとする課題】
【０００５】
しかしながら、上述した従来のパネル型映像表示装置、液晶テレビジョンおよびプラズマテレビジョンでは、ＯＳＤ信号を重畳するブロックの後段に画質調整を行うブロックが位置する場合がある。この場合、通常の映像信号のみならず、重畳されたＯＳＤ信号にも画質調整が行われてしまい、ＯＳＤ表示の色が変化してしまうという課題があった。
【０００６】
また、特許文献１に記載の技術では、画質調整量が大きい場合、ＯＳＤ信号に補償を行っても、ＯＳＤ信号の信号レベルが飽和してしまう可能性があり、結果として意図したＯＳＤ表示がなされないことが考えられる。
【０００７】
本発明は、上記課題にかんがみてなされたもので、ＯＳＤ信号を重畳するブロックの後段に画質調整を行うブロックが挿入された構成においても、ＯＳＤの部分はもともとの色・画質を維持し、それ以外の部分の画質調整が可能なパネル型映像表示装置および液晶テレビジョンの提供を目的とする。
【課題を解決するための手段】
【０００８】
上記課題を解決するために、本発明の請求項１にかかる発明では、画面に映像を表示する液晶モジュールと音声を出力するスピーカと、アンテナで受信されるテレビジョン放送信号から選択されているチャンネルのテレビジョン放送信号を抽出して出力するチューナと、入力されたテレビジョン放送信号を映像信号と音声信号とに分離するとともに、同映像信号からＲ、Ｇ、Ｂの３原色信号を復調して出力するデコ−ダと、入力される映像信号を、上記液晶モジュールが有する画面の画素数に合致するようにスケーリング処理を行い、上記液晶モジュールに表示する１画面分の画像データを生成するスケ−ラと、ＯＳＤ信号を生成する為のデ−タを供給され、静止画像を生成して映像信号に重畳するＯＳＤ処理部と、を備えるスケーラＬＳＩと、入力される音声信号を上記スピーカに出力させる音声信号処理部と、上記スケーラＬＳＩから入力された映像信号に対し、所定の画質調整処理を施して上記液晶モジュールに出力する画質調整回路と、上記チューナと上記スケーラＬＳＩと上記液晶モジュールとを制御するとともに、上記ＯＳＤ処理部にＯＳＤ信号を生成する為のデータを供給するマイコンとを備える液晶テレビジョンにおいて、上記スケーラＬＳＩから出力された映像信号を、上記画質調整回路における画質調整に要する時間の分だけ、遅らせて出力する遅延回路と、上記マイコンの制御に従って上記画質調整回路と上記遅延回路とに接続を切り替え、いずれか一方より映像信号を出力させるスイッチとを備え、上記ＯＳＤ処理部は、上記マイコンから矩形のＯＳＤを生成する為のデータを供給され、矩形のＯＳＤを上記画面に表示させるＯＳＤ信号を生成し、同ＯＳＤ信号を上記映像信号に重畳して出力し、上記マイコンは、上記ＯＳＤ処理部を制御してＯＳＤを表示させると、上記ＯＳＤ信号を生成する為のデータより、ＯＳＤの表示された領域情報を生成し、上記スケーラＬＳＩから出力される映像信号のうち、ＯＳＤの表示された領域の映像信号は、上記スイッチを制御して上記遅延回路に接続させることにより、画質調整の施されていない映像信号を上記遅延回路から出力させ、上記スケーラＬＳＩから出力される映像信号のうち、ＯＳＤの表示されない領域の映像信号は、上記スイッチを制御して上記画質調整回路に接続させることにより、画質調整の施された映像信号を上記画質調整回路から出力させ、画質調整の施されないＯＳＤの映像と、ＯＳＤ以外の部分に画質調整の施された映像とを上記液晶モジュールの画面に表示させる構成としてある。
【０００９】
そして、請求項２にかかる発明では、入力された映像信号に対して所定の映像信号処理を施して出力する映像信号出力手段と、上記映像信号出力手段から出力された映像信号に対して所定の画質調整処理を行う画質調整手段と、上記画質調整手段から出力された映像信号に基づく映像が表示されるパネル型ディスプレイとを備えるパネル型映像表示装置において、上記映像信号出力手段から出力された映像信号が入力され、同映像信号に画質調整は施さず、上記画質調整手段が画質調整に要する時間の分だけ上記映像信号を遅らせて出力する遅延出力手段と、上記映像信号出力手段より出力される映像信号のうち、上記パネル型ディスプレイ上の所定の矩形領域より内側に表示される映像信号と外側に表示される映像信号とを識別して識別信号を出力可能な矩形識別手段と、上記矩形識別手段より出力される識別信号に従い、上記映像信号出力手段より出力される映像信号を上記画質調整手段と上記遅延出力手段とに切り替えて入力させる切替手段とを備える構成としてある。
上記のように構成した請求項２にかかる発明において、上記矩形識別手段が、上記映像信号出力手段より出力される映像信号のうち、上記パネル型ディスプレイ上の所定の矩形領域より内側に表示される映像信号と外側に表示される映像信号とを識別して識別信号を出力し、上記切替手段は、上記矩形識別手段より出力される識別信号に従い、上記映像信号重畳手段より出力される映像信号を上記画質調整手段と上記遅延出力手段とに切り替えて入力させる。すると、上記遅延出力手段は、上記映像信号出力手段から出力された映像信号が入力され、同映像信号に画質調整は施さず、上記画質調整手段が画質調整に要する時間の分だけ上記映像信号を遅らせて出力し、上記画質調整手段は、上記映像信号出力手段から出力された映像信号に対して所定の画質調整処理を行って出力し、上記遅延出力手段及び上記画質調整手段より出力された映像信号に基づいてパネル型ディスプレイに映像が表示される。
【００１０】
さらに、請求項３にかかる発明では、上記請求項２に記載のパネル型映像表示装置において、上記映像信号出力手段は、矩形枠にて囲われて表示されるオンスクリーンディスプレイ信号を生成し、上記映像信号に重畳して出力可能であり、上記矩形識別手段は、上記オンスクリーンディスプレイ信号の矩形枠の内部を上記矩形領域として識別する構成としてある。
【００１１】
さらに、請求項４にかかる発明は、上記請求項２または上記請求項３に記載のパネル型映像表示装置において、上記矩形識別手段は、複数の矩形領域を識別することが可能であることを特徴とする構成としてある。
【００１２】
さらに、請求項５にかかる発明は、上記請求項２〜請求項４のいずれかに記載のパネル型映像表示装置において、上記矩形識別手段は、上記複数の矩形領域を識別する際、各矩形領域の論理和を矩形領域とする構成としてある。
【００１３】
さらに、請求項６にかかる発明は、上記請求項２〜請求項５のいずれかに記載のパネル型映像表示装置において、上記矩形領域は、映像信号の表示される領域の両サイドの無画領域である構成としてある。
【００１４】
さらに、請求項７にかかる発明は、上記請求項２〜請求項５のいずれかに記載のパネル型映像表示装置において、上記矩形領域は、映像信号の表示される領域の上下の無画領域である構成としてある。
【００１５】
さらに、請求項８にかかる発明は、上記請求項２〜請求項７のいずれかに記載のパネル型映像表示装置において、上記パネル型ディスプレイは、画面に映像を表示する液晶モジュールである構成としてある。
【００１６】
さらに、請求項９にかかる発明は、上記請求項２〜請求項７のいずれかに記載のパネル型映像表示装置において、上記パネル型ディスプレイは、画面に映像を表示するプラズマディスプレイパネルモジュールである構成としてある。
【発明の効果】
【００１７】
以上説明したように本発明によれば、映像信号にＯＳＤ信号を重畳するＯＳＤ処理部が、映像信号に画質調整を施す画質調整回路の前段に位置しているパネル型映像表示装置で画質調整を行っても、ＯＳＤ部分の画質を変化させること無く画面に表示させることが可能なパネル型映像表示装置を提供することができる。
【００１８】
また請求項３にかかる発明によれば、ＯＳＤの表示される領域が矩形となるため、通常の映像が表示される領域とＯＳＤが表示される領域との区別における処理が軽くなり、ＯＳＤ部分の画質を変化させること無く効率的な画像処理を行えるパネル型映像表示装置を提供することが出来る。
そして請求項４にかかる発明によれば、複数のＯＳＤ信号が映像信号に重畳されても、ＯＳＤが表示される領域と、通常の映像が表示される領域とを区別することが可能なパネル型映像表示装置を提供することが可能となる。
【００１９】
さらに請求項５にかかる発明によれば、複数のＯＳＤ信号が重畳された映像信号において、効率的に通常の映像が表示される領域とＯＳＤが表示される領域とを区別する処理の行えるパネル型映像表示装置を提供することが可能となる。
また請求項６にかかる発明によれば、アスペクト比４：３の映像をアスペクト比１６：９の画面に表示するときの両サイドの黒いマスク部分の映像信号に、画質調整が施されずに出力可能なため、両サイドの黒いマスク部分の黒浮きを抑えることが可能なパネル型映像表示装置を提供することが可能となる。
【００２０】
そして請求項７にかかる発明によれば、アスペクト比４：３の画面にアスペクト比１６：９の映像を表示するときの上下の黒いマスク部分の映像信号に、画質調整が施されずに出力可能なため、上下の黒いマスク部分の黒浮きを抑えることが可能なパネル型映像表示装置を提供することが可能となる。
さらに、請求項８にかかる発明によれば、上述した効果を奏する液晶表示装置を提供することが可能となる。
【００２１】
また、請求項９にかかる発明によれば、上述した効果を奏するプラズマ表示装置を提供することが可能となる。
さらに請求項１のような、より具体的な構成において、上述した請求項２〜請求項９の各発明と同様の作用を奏することはいうまでもない。
【発明を実施するための最良の形態】
【００２２】
以下、下記の順序に従って本発明の実施形態を説明する。
（１）本実施例にかかるパネル型テレビジョンの概略構成：
（２）画質調整処理：
（３）画質調整処理にかかる変形例：
（４）まとめ：
【００２３】
（１）本実施例にかかるパネル型テレビジョンの概略構成：
図１は、本発明にかかるパネル型テレビジョンとして、液晶テレビジョン１００を適用した場合の構成を示すブロック図である。同図において、液晶テレビジョン１００は、概略、チューナ１０と映像信号処理部２０と画質調整部３０と液晶モジュール５０とマイコン６０とからなる。
【００２４】
なお、本実施形態では、パネル型ディスプレイとして液晶パネルを使用する液晶テレビジョンを例に取り上げて説明するが、本発明のパネル型映像表示装置には、プラズマディスプレイパネル（ＰＤＰ）を使用する映像表示装置や、ＰＤＰから映像を出力するプラズマテレビジョン、液晶パネルを使用する映像表示装置等も考えられる。むろん、モジュール化されたプラズマディスプレイパネルモジュールや液晶モジュールも適宜採用可能である。
【００２５】
上記構成においてマイコン６０は、発振回路ＣＬＫや操作パネル７５や図示しないリモコン信号受光部が直接接続されており、操作パネル７５等への操作入力に対応するデータを同操作パネル７５等から入力可能とされている。また、液晶テレビジョン１００を構成する各部と電気的に接続しており、同マイコンの構成部品としてのＣＰＵ６０ａが、同じくマイコンの構成部品であるＲＯＭ６０ｂやＲＡＭ６０ｃなどに書き込まれた各プログラムに従って、液晶テレビジョン１００全体を制御することにより、テレビジョンとしての機能を実現している。
【００２６】
同図において、液晶テレビジョン１００は、アンテナ１０ａからの周波数信号が入力されるチューナ１０を備えている。当該チューナはアナログテレビジョン用の公知の回路であり、アンテナ１０ａで受信される所定の放送方式によるアナログのテレビジョン放送信号（映像信号の一種）が入力されて、選択されているチャンネルのテレビジョン放送信号を抽出して中間周波信号を作成して出力可能である。
【００２７】
所定の放送方式にはＰＡＬ方式、ＳＥＣＡＭ方式、ＮＴＳＣ方式等があり、チューナ１０は複数の種類の放送方式のＴＶ信号を入力して中間周波信号を生成する回路であってもよい。本回路はいわゆる周波数シンセサイザ方式のチューナを内蔵しており、図示しない高周波増幅回路、局部発振回路、混合回路等を備えている。むろん、電圧シンセサイザ方式等であってもよい。
【００２８】
チューナ１０からの出力は、マイコン６０に制御された映像信号処理部２０に供給される。本実施例において、当該映像信号処理部２０はＬＳＩ（スケーラＬＳＩ）として実現されているものとする。映像信号処理部２０は、Ａ／Ｄ変換部２０ａとデコ−ダ２０ｂとＩＰ変換部２０ｃとスケ−ラ２０ｄとＯＳＤ処理部２０ｅとを備えている。当該映像信号処理部２０が、入力された映像信号に対して所定の映像信号処理を施して出力する上記映像信号出力手段を構成する
【００２９】
Ａ／Ｄ変換部２０ａは入力された映像信号をデジタル信号に変換する。デコ−ダ２０ｂは、入力されたデジタル映像信号から、Ｒ、Ｇ、Ｂの３原色信号を復調する。さらに、デコ−ダ２０ｂは、映像信号と音声信号との分離も行い、分離された音声信号を図示しない音声信号処理部に出力し、図示しないスピーカに出力させる。
【００３０】
ＩＰ変換部２０ｃは、連続するインタ−レ−ス形式の映像信号をプログレッシブ形式の映像信号に変換する。スケ−ラ２０ｄは、入力されたデジタルの映像信号を、液晶モジュール５０が有する画面の画素数（横縦比、ｍ：ｎ）に合致するようにスケーリング処理を行い、液晶モジュール５０に表示する１画面分の画像データを生成する。そして、このように生成された画像データを液晶モジュール５０に出力することにより、液晶モジュール５０の画面に画像データに基づく映像表示をさせる。
【００３１】
なお、デコ−ダ２０ｂ、ＩＰ変換部２０ｃおよびスケ−ラ２０ｄは、それぞれの処理を行う際のワ−クエリアとしてフレ−ムメモリ２０ｆをそれぞれ利用することが可能となっている。
スケーラ２０ｄより出力された映像信号はＯＳＤ処理部２０ｅに入力され、ＯＳＤ処理部２０ｅは、映像信号にオンスクリーンディスプレイ信号（ＯＳＤ信号）を重畳することにより、映像に所定の静止画像を重ねて表示したり、所定の静止画像を差し替えて表示する等の処理を行うことができる。ＯＳＤ処理部２０ｅは、文字情報等のデ−タをマイコン６０から入力され、同文字情報等のデ−タに基づいて静止画像を生成することが可能となっている。
【００３２】
また、チューナ１０は、同期信号を分離して同期信号制御回路７０に対して出力する。同期信号制御回路７０は、上記同期信号が入力され、発振回路ＣＬＫのクロック信号にタイミングを合わせて映像信号処理部２０と画質調整部３０とに出力して、信号の同期を行わせる。
【００３３】
画質調整部３０は、映像信号処理部２０より供給されるＲＧＢ映像信号に、コントラスト調整、ＴＩＮＴ調整、ブライト調整、肌色補正等の色彩調整、白黒伸長調整、遅延調整、水平シャープネス調整、ガンマ補正、ノイズ除去、等の処理を行い、調整処理後のＲＧＢ信号を低電圧差動信号インタフェース（ＬＶＤＳ）などを介して液晶モジュール５０に画像データを出力する。むろん画質調整を行わずに出力することも可能である。
【００３４】
液晶モジュール５０は、図示しない、液晶駆動回路、液晶パネル、バックライトを有する。液晶駆動回路は、液晶パネルの各ＲＧＢに対応するパネルを駆動する電圧を生成する。バックライトは、図示しないインバータから高電圧の供給を受けて点灯し、液晶パネルを背面から照射する。これにより、液晶モジュール５０は上記画像データに基づく画像を液晶パネル上に表示する。
【００３５】
次に図２を参照して画質調整部３０の構成を説明する。画質調整部３０は、概略、画質調整回路３０ａと遅延回路３０ｂとスイッチ３０ｃとからなる。画質調整回路３０ａは、マイコン６０制御により、入力される映像信号に所定の画質調整を行って出力する。遅延回路３０ｂは、マイコン６０制御により、遅延出力を行う。すなわち、遅延回路３０ｂは、映像信号が入力されると画質調整を行わず、映像信号が入力されてから所定時間経過後に入力された映像信号を出力する。
【００３６】
この所定時間としては、映像信号が入力された時点で画質調整回路３０ａが画質の調整を行うのに要する時間である。例えば、画質調整回路３０ａにて輝度調整が行われる場合、同輝度調整には１クロック程度の時間が必要であり、画質調整回路３０ａに映像信号が入力されてから映像信号を出力するまでに１クロック程度の遅延が生じるため、上記所定時間は１クロック程度となる。また、画質調整回路３０ａにてノイズ除去が行われる場合、当該ノイズ除去では１フレーム前の画像と比較しなければならないため２フレーム表示時間程度の時間が必要とされ、画質調整回路３０ａで２フレーム表示時間程度の遅延が生じるため、所定時間は２フレーム表示時間程度となる。
【００３７】
スイッチ３０ｃは、マイコン６０の制御により、映像信号を画質調整回路３０ａに入力させるか遅延回路３０ｂに入力させるかを切り替えて接続する。マイコン６０は、画質調整部３０に入力される映像信号がＯＳＤが表示されている領域のときはスイッチ３０ｃを遅延回路３０ｂに接続させる制御信号を出力し、画質調整部３０に入力される映像信号がＯＳＤが表示されていない領域のときはスイッチ３０ｃを画質調整回路３０ａに接続させる制御信号を出力する。
【００３８】
以上より、画質調整回路３０ａが、上記映像信号出力手段から出力された映像信号に対して所定の画質調整処理を行う上記画質調整手段を構成し、遅延回路３０ｂが、上記映像信号出力手段から出力された映像信号が入力され、同映像信号に画質調整は施さず、上記画質調整手段が画質調整に要する時間の分だけ上記映像信号を遅らせて出力する上記遅延出力手段を構成し、スイッチ３０ｃが、上記矩形識別手段より出力される識別信号に従い、上記映像信号出力手段より出力される映像信号を上記画質調整手段と上記遅延出力手段とに切り替えて入力させる切替手段を構成する。
【００３９】
（２）画質調整処理：
以下、図３を参照して、マイコン６０が画質調整部３０を制御する処理について説明する。なお、図３には当該処理をフローチャートにて示してある。本フローは、マイコン６０がＯＳＤの表示をＯＳＤ処理部２０ｅに指示する度に実行される。
【００４０】
図４、図５にＯＳＤが表示された画面の一例を示す。図４はＯＳＤが１つ表示された画面、図５はＯＳＤが２つ表示された画面である。また、図６は左右に、図７は上下に、それぞれ黒いマスク部分が矩形のＯＳＤとして挿入される場合である。
【００４１】
本実施例において、ＯＳＤ処理部２０ｅにて重畳されるＯＳＤは矩形枠にて囲われており、矩形枠の内部に、メニュー画面や、アスペクト比４：３の映像をアスペクト比１６：９の画面に表示するときの両サイドの黒いマスク部分や、アスペクト比４：３の画面にアスペクト比１６：９の映像を表示するときの上下の黒いマスク部分がＯＳＤ表示される。上記矩形枠としては、枠内がＯＳＤ領域であることを示す仮想的なものであればよく、幅のある枠である必要は無い。ここで、両サイドの黒いマスク部分が映像信号の表示される領域の両サイドの無画領域を構成し、上下の黒いマスク部分が映像信号の表示される領域の上下の無画領域を構成する。
【００４２】
処理が開始されると、まずステップＳ１２で、ＯＳＤ表示領域情報を取得する。図４における当該ＯＳＤ表示領域情報としては、画面に表示される矩形枠の左上の角の座標と右下の角の座標が考えられる。つまり、画面左上隅を原点とし、右方向を正のｘ方向、下方向を正のｙ方向とする座標を考えると、画面に表示される矩形枠の左上の角を始点（ｘ１、ｙ１）、右下の角を終点（ｘ２、ｙ２）とし、それぞれの座標を与えてやることにより矩形枠の表示される領域を特定することが可能となる。すなわち、同図においてＯＳＤ表示領域は、ｘ１＜ｘ＜ｘ２、ｙ１＜ｙ＜ｙ２で表される。
【００４３】
次に、ＯＳＤが画面上に１つであるか複数であるかを判断する。映像信号に含まれるＯＳＤが画面上に１つの場合は、条件成立としてステップＳ１８に進む。一方、図５のように映像信号に含まれるＯＳＤが画面上に複数存在する場合は、条件不成立としてステップＳ１６に進む。ステップＳ１６に進むと、複数のＯＳＤ表示領域の論理和のＯＳＤ表示領域情報を生成する。
【００４４】
無論、ＯＳＤが表示されているか否かが識別できさえすればよく、複数のＯＳＤ表示領域の排他的論理和と複数のＯＳＤ表示領域の論理積とをそれぞれＯＳＤ表示領域として認識する構成としてもよいし、複数のＯＳＤ表示領域を分割しなおして複数の矩形枠にて囲われる矩形領域として認識しなおしても構わない。後者の場合の一例として、図５を例にとると、第一の矩形領域をｘ３＜ｘ＜ｘ４、ｙ３＜ｙ＜ｙ５、第二の矩形領域をｘ３＜ｘ＜ｘ６、ｙ５＜ｙ＜ｙ４、第三の矩形領域をｘ５＜ｘ＜ｘ６、ｙ４＜ｙ＜ｙ６などのように分割可能である。
【００４５】
ステップＳ１４で条件成立もしくはステップＳ１６終了後、ステップＳ２０に進み、ステップＳ１４でＯＳＤが１つであったときはステップＳ１２で取得したＯＳＤ表示領域情報に基づいて、ステップＳ１４でＯＳＤが複数であったときはステップＳ１６で生成されたＯＳＤ表示領域情報に基づいて、それぞれ画質調整部３０に入力される映像信号の各画素が画面で表示される領域を判定し、画質調整回路３０ａと遅延回路３０ｂのいずれに入力させるかを判断する。
【００４６】
ステップＳ２０で入力される映像信号の画素がＯＳＤ表示領域内であると判断されると条件成立としてステップＳ２４に進み、スイッチ３０ｃに遅延回路３０ｂに接続するように制御信号を出力する。すると当該映像信号は遅延回路３０ｂにて、所定時間遅延された後、後段に出力される。
【００４７】
一方、ステップＳ２０で、入力される映像信号の画素がＯＳＤ表示領域内で無いと判断されると条件不成立としてステップＳ２２に進み、スイッチ３０ｃに画質調整回路３０ａに接続するように制御信号を出力する。すると当該映像信号は画質調整回路３０ａにて所定の画質調整が施されて後段へ出力される。
【００４８】
以上より、ステップＳ１２〜Ｓ２０の処理を行うマイコン６０が、上記映像信号出力手段より出力される映像信号のうち、上記パネル型ディスプレイ上の所定の矩形領域より内側に表示される映像信号と外側に表示される映像信号とを識別して識別信号を出力可能な矩形識別手段を構成する。また、マイコン６０がスイッチ３０ｃに出力する制御信号が、上記識別信号に相当する。
【００４９】
ステップｓ２４もしくはステップＳ２２が終了すると、１フレームの映像信号が画質調整部３０に全て入力されたか否かを判断する。１フレームの映像信号が入力完了している、すなわち１フレームの映像信号が画質調整部３０にて処理・出力されているときは条件成立としてステップＳ２８に進む。一方１フレームの映像信号の入力が完了していないとき、すなわち１フレームの映像信号が画質調整部３０にて処理・出力されていないときは、条件不成立としてステップＳ２０以降の処理を繰り返す。
【００５０】
ステップＳ２６にて条件成立となり、ステップＳ２８に進むと、次のフレームにＯＳＤが表示されているか否かを判断する。すなわち、マイコン６０がＯＳＤ表示をＯＳＤ処理部２０ｅに指示しているか否かを判断する。次のフレームにおいてもＯＳＤの表示をＯＳＤ処理部２０ｅに指示していないときは、条件成立として当該処理を終了する。一方、次のフレームにおいてもＯＳＤの表示をＯＳＤ処理部２０ｅに指示しているときは、条件不成立としてステップＳ１２以降の処理を繰り返す。
【００５１】
以下、上記構成からなる本実施形態の動作を説明する。
マイコン６０は、メニューなどのＯＳＤの表示を指示する操作入力を操作パネル７５やリモコン信号受光部などから受け付けると、ＯＳＤ処理部２０ｅにＯＳＤ信号の生成・重畳を指示するとともに画質調整部３０の制御を開始する。
【００５２】
まず、ＯＳＤ処理部２０ｅはＯＳＤ信号を生成するとともに、スケーラ２０ｄから出力される映像信号に同ＯＳＤ信号を重畳して画質調整部３０に出力する。
【００５３】
マイコン６０は、映像信号が画質調整部３０に入力されるタイミングに合わせてスイッチ３０ｃを切り替えることにより、画質調整部３０に入力される映像信号のうち、ＯＳＤの表示されている画素に対応する映像信号は遅延回路３０ｂへ入力させ、ＯＳＤの表示されていない画素に対応する映像信号は画質調整回路３０ａへ入力させる。
【００５４】
従って、ＯＳＤの表示されていない画素の映像信号は、コントラスト調整、ＴＩＮＴ調整、ブライト調整、肌色補正等の色彩調整、白黒伸長調整、遅延調整、水平シャープネス調整、ガンマ補正、ノイズ除去、等の画質調整処理が施されてユーザの好みの画質にて画面に表示される。一方、ＯＳＤの表示されている画素の映像信号は、マイコン６０から入力されたＯＳＤ生成の為のデータに基づいた画質にて画面に表示される。
【００５５】
また、画質調整回路を経由するＯＳＤの表示されていない画素に対応する映像信号は、画質の調整処理を施されて所定の時間経過して出力され、ＯＳＤの表示されている画素に対応する映像信号は、遅延回路に入力されてから所定の時間経過して出力される。従って、各画素に対応する映像信号は、画質調整部に入力された順に、出力されるため、画素の入れ替わり等は無く、正常な映像が表示される。
【００５６】
（３）画質調整処理にかかる変形例：
また、当該矩形枠にてＯＳＤ領域を識別するだけでなく、ＯＳＤの表示されない映像領域を識別することも可能である。つまり、図８のように映像表示領域の四方が黒いマスク部分にて囲われており、ＯＳＤ領域としての黒いマスク部分を矩形領域とするのではなく、映像表示領域を矩形領域として認識するような場合である。むろん、映像表示領域の四方が黒いマスク部分にて囲われる場合のみならず、図４〜７のような場合にも適用可能である。
以下、図９を参照して、映像表示領域を矩形領域として認識する場合の、マイコン６０が画質調整部３０を制御する処理について説明する。なお、図９には当該処理をフローチャートにて示してある。本フローは、マイコン６０がＯＳＤの表示をＯＳＤ処理部２０ｅに指示する度に実行される。本変形例において、ＯＳＤ処理部２０ｅにて重畳されるＯＳＤ以外の領域、すなわち映像表示領域は矩形枠にて囲われており、矩形枠の内部に映像が表示される。
【００５７】
処理が開始されると、まずステップＳ１１２で、映像表示領域情報を取得する。当該映像表示領域情報としては、例えば、図８では、画面左上隅を原点とし、右方向を正のｘ方向、下方向を正のｙ方向とする座標を想定すると、画面に表示される矩形枠の左上の角を始点（ｘ１５、ｙ１５）、右下の角を終点（ｘ１６、ｙ１６）とし、それぞれの座標を与えてやることにより矩形枠の表示される領域を特定することが可能となる。すなわち、同図において映像表示領域は、ｘ１５＜ｘ＜ｘ１６、ｙ１５＜ｙ＜ｙ１６となる。
【００５８】
そして、ステップＳ１１６では、ステップＳ１１２で取得した映像表示領域情報に基づいて、画質調整部３０に入力される映像信号の各画素が画面で表示される領域を判定し、画質調整回路３０ａと遅延回路３０ｂのいずれに入力させるかを判断する。入力される映像信号の画素が映像表示領域内であると判断されると条件成立してステップＳ１１８に進み、スイッチ３０ｃに画質調整回路３０ａに接続するように制御信号を出力する。すると当該映像信号は画質調整回路３０ａにて、画質調整が施された後、後段に出力される。
【００５９】
一方、ステップｓ１１６で、入力される映像信号の画素が映像表示領域内でないと判断されると条件不成立としてステップＳ１２０に進み、スイッチ３０ｃに遅延回路３０ｂに接続するように制御信号を出力する。すると当該映像信号は遅延回路３０ｂにて所定時間出力が遅延された後、後段へ出力される。
【００６０】
以上より、ステップＳ１１２〜Ｓ１１６の処理を行うマイコン６０が、本変形例における、上記映像信号出力手段より出力される映像信号のうち、上記パネル型ディスプレイ上の所定の矩形領域より内側に表示される映像信号と外側に表示される映像信号とを識別して識別信号を出力可能な矩形識別手段を構成する。また、マイコン６０がスイッチ３０ｃに出力する制御信号が、上記識別信号に相当する。
【００６１】
ステップＳ１１８もしくはステップＳ１２０が終了するとステップＳ１２２に進み、１フレームの映像信号が画質調整部３０に全て入力されたか否かを判断する。１フレーム分の映像信号が入力完了している場合、すなわち１フレームの映像信号が画質調整部３０にて処理・出力されているときは条件成立となり、ステップＳ１２４に進む。一方、１フレーム分の映像信号の入力が完了していないとき、すなわち１フレームの映像信号が画質調整部３０にて処理・出力されていないときは、条件不成立としてステップＳ１１６以降の処理を繰り返す。
【００６２】
ステップＳ１２２にて条件成立となりステップＳ１２４に進むと、次のフレームにＯＳＤが表示されているか否かを判断する。すなわち、マイコン６０がＯＳＤ表示をＯＳＤ処理部２０ｅに指示しているか否かを判断する。次のフレームにおいてもＯＳＤの表示をＯＳＤ処理部２０ｅに指示していないときは、条件成立として当該処理を終了する。一方、次のフレームにおいてもＯＳＤの表示をＯＳＤ処理部２０ｅに指示しているときは、条件不成立としてステップＳ１１２以降の処理を繰り返す。
【００６３】
（４）まとめ：
つまり、入力される映像信号に所定の画質調整処理を施す画質調整回路３０ａと、入力される映像信号を画質調整回路３０ａにおける画質調整に要する時間の分だけ遅らせて出力する遅延回路３０ｂと、マイコン６０の制御に従い映像信号を画質調整回路３０ａと遅延回路３０ｂとに切り替えて入力させるスイッチ３０ｃとを備えさせ、マイコン６０は、ＯＳＤ表示領域の映像信号を遅延回路３０ｂに入力させ、ＯＳＤ表示領域以外の映像信号は画質調整回路３０ａに入力させる。
【００６４】
以上説明したように、本実施例に対応する請求項２にかかるパネル型映像表示装置では、入力された映像信号に対して所定の映像信号処理を施して出力する映像信号出力手段と、上記映像信号出力手段から出力された映像信号に対して所定の画質調整処理を行う画質調整手段と、上記画質調整手段から出力された映像信号に基づく映像が表示されるパネル型ディスプレイとを備えるパネル型映像表示装置において、上記映像信号出力手段から出力された映像信号が入力され、同映像信号に画質調整は施さず、上記画質調整手段が画質調整に要する時間の分だけ上記映像信号を遅らせて出力する遅延出力手段と、上記映像信号出力手段より出力される映像信号のうち、上記パネル型ディスプレイ上の所定の矩形領域より内側に表示される映像信号と外側に表示される映像信号とを識別して識別信号を出力可能な矩形識別手段と、上記矩形識別手段より出力される識別信号に従い、上記映像信号出力手段より出力される映像信号を上記画質調整手段と上記遅延出力手段とに切り替えて入力させる切替手段とを備える構成としてある。
【００６５】
つまり、上記矩形識別手段が、上記映像信号出力手段より出力される映像信号のうち、上記パネル型ディスプレイ上の所定の矩形領域より内側に表示される映像信号と外側に表示される映像信号とを識別して識別信号を出力し、上記切替手段は、上記矩形識別手段より出力される識別信号に従い、上記映像信号重畳手段より出力される映像信号を上記画質調整手段と上記遅延出力手段とに切り替えて入力させる。すると、上記遅延出力手段は、上記映像信号出力手段から出力された映像信号が入力され、同映像信号に画質調整は施さず、上記画質調整手段が画質調整に要する時間の分だけ上記映像信号を遅らせて出力し、上記画質調整手段は、上記映像信号出力手段から出力された映像信号に対して所定の画質調整処理を行って出力し、上記遅延出力手段及び上記画質調整手段より出力された映像信号に基づいてパネル型ディスプレイに映像が表示される。
上記のように構成した請求項２に記載の発明においては、映像信号にＯＳＤ信号を重畳するＯＳＤ処理部が、映像信号に画質調整を施す画質調整回路の前段に位置しているパネル型映像表示装置で画質調整を行っても、ＯＳＤ部分の画質を変化させること無く画面に表示させることが可能なパネル型映像表示装置を提供することができる。
【００６６】
また、上記請求項３に記載のパネル型映像表示装置において、上記映像信号出力手段は、矩形枠にて囲われて表示されるオンスクリーンディスプレイ信号を生成し、上記映像信号に重畳して出力可能であり、上記矩形識別手段は、上記オンスクリーンディスプレイ信号の矩形枠の内部を上記矩形領域として識別する構成としてある。
上記のように構成した請求項３に記載の発明においては、ＯＳＤの表示される領域が矩形となるため、通常の映像が表示される領域とＯＳＤが表示される領域との区別における処理が軽くなり、ＯＳＤ部分の画質を変化させること無く効率的な画像処理を行えるパネル型映像表示装置を提供することが出来る。
【００６７】
そして、請求項４にかかる発明は、上記請求項２または上記請求項３に記載のパネル型映像表示装置において、上記矩形識別手段は、複数の矩形領域を識別することが可能であることを特徴とする構成としてある。
上記のように構成した請求項４に記載の発明においては、複数のＯＳＤ信号が映像信号に重畳されても、ＯＳＤが表示される領域と、通常の映像が表示される領域とを区別することが可能なパネル型映像表示装置を提供することが可能となる。
【００６８】
さらに、請求項５にかかる発明は、上記請求項２〜請求項４のいずれかに記載のパネル型映像表示装置において、上記矩形識別手段は、上記複数の矩形領域を識別する際、各矩形領域の論理和を矩形領域とする構成としてある。
上記のように構成した請求項５に記載の発明においては、複数のＯＳＤ信号が重畳された映像信号において、効率的に通常の映像が表示される領域とＯＳＤが表示される領域とを区別する処理の行えるパネル型映像表示装置を提供することが可能となる。
【００６９】
また、請求項６にかかる発明は、上記請求項２〜請求項５のいずれかに記載のパネル型映像表示装置において、上記矩形領域は、映像信号の表示される領域の両サイドの無画領域である構成としてある。
上記のように構成した請求項６に記載の発明においては、アスペクト比４：３の映像をアスペクト比１６：９の画面に表示するときの両サイドの黒いマスク部分の映像信号に、画質調整が施されずに出力可能なため、両サイドの黒いマスク部分の黒浮きを抑えることが可能なパネル型映像表示装置を提供することが可能となる。
【００７０】
そして、請求項７にかかる発明は、上記請求項２〜請求項５のいずれかに記載のパネル型映像表示装置において、上記矩形領域は、映像信号の表示される領域の上下の無画領域である構成としてある。
上記のように構成した請求項７に記載の発明においては、アスペクト比４：３の画面にアスペクト比１６：９の映像を表示するときの上下の黒いマスク部分の映像信号に、画質調整が施されずに出力可能なため、上下の黒いマスク部分の黒浮きを抑えることが可能なパネル型映像表示装置を提供することが可能となる。
【００７１】
さらに、請求項８にかかる発明は、上記請求項２〜請求項７のいずれかに記載のパネル型映像表示装置において、上記パネル型ディスプレイは、画面に映像を表示する液晶モジュールである構成としてある。
上記のように構成した請求項８に記載の発明においては、上述した効果を奏する液晶表示装置を提供することが可能となる。
【００７２】
また、請求項９にかかる発明は、上記請求項２〜請求項７のいずれかに記載のパネル型映像表示装置において、上記パネル型ディスプレイは、画面に映像を表示するプラズマディスプレイパネルモジュールである構成としてある。
上記のように構成した請求項９に記載の発明においては、上述した効果を奏するプラズマ表示装置を提供することが可能となる。
【００７３】
以上の構成を踏まえた上で、請求項１の発明は、画面に映像を表示する液晶モジュールと音声を出力するスピーカと、アンテナで受信されるテレビジョン放送信号から選択されているチャンネルのテレビジョン放送信号を抽出して出力するチューナと、入力されたテレビジョン放送信号を映像信号と音声信号とに分離するとともに、同映像信号からＲ、Ｇ、Ｂの３原色信号を復調して出力するデコ−ダと、入力される映像信号を、上記液晶モジュールが有する画面の画素数に合致するようにスケーリング処理を行い、上記液晶モジュールに表示する１画面分の画像データを生成するスケ−ラと、ＯＳＤ信号を生成する為のデ−タを供給され、静止画像を生成して映像信号に重畳するＯＳＤ処理部と、を備えるスケーラＬＳＩと、入力される音声信号を上記スピーカに出力させる音声信号処理部と、上記スケーラＬＳＩから入力された映像信号に対し、所定の画質調整処理を施して上記液晶モジュールに出力する画質調整回路と、上記チューナと上記スケーラＬＳＩと上記液晶モジュールとを制御するとともに、上記ＯＳＤ処理部にＯＳＤ信号を生成する為のデータを供給するマイコンとを備える液晶テレビジョンにおいて、上記スケーラＬＳＩから出力された映像信号を、上記画質調整回路における画質調整に要する時間の分だけ、遅らせて出力する遅延回路と、上記マイコンの制御に従って上記画質調整回路と上記遅延回路とに接続を切り替え、いずれか一方より映像信号を出力させるスイッチとを備え、上記ＯＳＤ処理部は、上記マイコンから矩形のＯＳＤを生成する為のデータを供給され、矩形のＯＳＤを上記画面に表示させるＯＳＤ信号を生成し、同ＯＳＤ信号を上記映像信号に重畳して出力し、上記マイコンは、上記ＯＳＤ処理部を制御してＯＳＤを表示させると、上記ＯＳＤ信号を生成する為のデータより、ＯＳＤの表示された領域情報を生成し、上記スケーラＬＳＩから出力される映像信号のうち、ＯＳＤの表示された領域の映像信号は、上記スイッチを制御して上記遅延回路に接続させることにより、画質調整の施されていない映像信号を上記遅延回路から出力させ、上記スケーラＬＳＩから出力される映像信号のうち、ＯＳＤの表示されない領域の映像信号は、上記スイッチを制御して上記画質調整回路に接続させることにより、画質調整の施された映像信号を上記画質調整回路から出力させ、画質調整の施されないＯＳＤの映像と、ＯＳＤ以外の部分に画質調整の施された映像とを上記液晶モジュールの画面に表示させる構成としてある。
【００７４】
以上より、ステップＳ１２〜Ｓ２０の処理を行うマイコン６０およびステップＳ１１２〜Ｓ１１６の処理を行うマイコン６０が、上記映像信号出力手段より出力される映像信号のうち、上記パネル型ディスプレイ上の所定の矩形領域より内側に表示される映像信号と外側に表示される映像信号とを識別して識別信号を出力可能な矩形識別手段を構成する。
【００７５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００７６】
【図１】本発明の実施形態にかかるパネル型テレビジョンの概略構成ブロック図である。
【図２】画質調整部の概略構成ブロック図である。
【図３】画質調整処理におけるフローチャートである。
【図４】ＯＳＤの表示された画面の一例である。
【図５】ＯＳＤの表示された画面の一例である。
【図６】ＯＳＤの表示された画面の一例である。
【図７】ＯＳＤの表示された画面の一例である。
【図８】ＯＳＤの表示された画面の一例である。
【図９】画質調整処理におけるフローチャートの変形例である。
【符号の説明】
【００７７】
１０…チューナ
１０ａ…アンテナ
２０…映像処理部
２０ａ…Ａ／Ｄ変換部
２０ｂ…デコ−ダ
２０ｃ…ＩＰ変換部
２０ｄ…スケーラ
２０ｅ…ＯＳＤ処理部
２０ｆ…フレームメモリ
３０…画質調整部
３０ａ…画質調整回路
３０ｂ…遅延回路
３０ｃ…スイッチ
５０…液晶モジュール
６０…マイコン
６０ａ…ＣＰＵ
６０ｂ…ＲＯＭ
６０ｃ…ＲＡＭ
７０…同期信号制御回路
１００…液晶テレビジョン
ＣＬＫ…発振回路
【図１】
2007228167.tif 000003
【図２】
2007228167.tif 000004
【図３】
2007228167.tif 000005
【図４】
2007228167.tif 000006
【図５】
2007228167.tif 000007
【図６】
2007228167.tif 000008
【図７】
2007228167.tif 000009
【図８】
2007228167.tif 000010
【図９】
2007228167.tif 000011